(57)【要約】【課題】  ボルト、ナットを外すことなく接続、切り離しが可能で、しかも、接続を良好、堅固にする。【解決手段】  ナット５のネジ孔周縁に突起部５ｂを設け、第１の接続端子２に、ボルト４を挿入する第１の貫通孔２ｂを形成し、第２の接続端子３に、大孔部３１ａと小孔部３１ｂと連結部３１ｃとを有する第２の貫通孔３１を形成する。大孔部３１ａは、ナット５が挿入可能な大きさに設定し、連結部３１ｃは、ボルト４のネジ部４ａが挿入可能でナット５の突起部５ｂが挿入不可能な大きさに設定し、小孔部３１ｂは、ナット５の突起部５ｂが挿入可能でナット５が挿入不可能な大きさに設定する。【選択図】  図５
2010287354.tif 000002
【特許請求の範囲】
【請求項１】
第１の接続端子と、第２の接続端子と、ボルトと、前記ボルトに螺合するナットと、を備えた端子接続装置であって、
前記ナットのネジ孔周縁に、前記ボルト側に突出する突起部が設けられ、
前記第１の接続端子に、前記ボルトが挿入される第１の貫通孔が形成され、
前記第２の接続端子に、大孔部と小孔部と前記大孔部と小孔部とを結ぶ連結部とを有する第２の貫通孔が形成され、
前記第２の貫通孔の大孔部は、前記ナットが挿入可能な大きさに設定され、前記連結部は、前記ボルトが挿入可能で前記ナットの突起部が挿入不可能な大きさに設定され、前記小孔部は、前記ナットの突起部が挿入可能で前記ナットが挿入不可能な大きさに設定されている、ことを特徴とする端子接続装置。
【請求項２】
前記第１の接続端子の前記第２の接続端子側に嵌合部が設けられ、前記第２の接続端子の前記第１の接続端子側には被嵌合部が設けられ、
前記第１の接続端子と第２の接続端子とを重ね合わせた際に、前記嵌合部と被嵌合部とが嵌合するように、前記嵌合部と被嵌合部とが設けられている、ことを特徴とする請求項１に記載の端子接続装置。
【発明の詳細な説明】
【技術分野】
【０００１】
この発明は、電力線などの端部同士を接続する端子接続装置に関する。
【背景技術】
【０００２】
例えば、２本の電力線を接続する場合、それぞれの電力線の端部に接続端子を圧着し、接続端子と接続端子とを重ね合わせた状態で、接続端子に形成された貫通孔にボルトを挿入し、ボルトにナットを締め付けていた。しかし、電力線の接続、切り離しを行う際には、ボルト、ナットを接続端子から完全に取り外さなければならず、作業性が悪いばかりでなく、ボルト、ナットを落下させるおそれがある。
【０００３】
このため、一方の接続端子に、ボルト、ナットを取り付けた状態で、電力線の接続、切り離しが可能な導電接続装置が知られている（例えば、特許文献１参照。）。この導電接続装置は、一方の接続端子には、ボルトを挿入可能な円形の貫通孔が形成され、他方の接続端子には、ボルトを側面から出し入れ可能な切欠き状の開口が形成されている。そして、一方の接続端子の貫通孔にボルトを挿入し、ナットを取り付けた状態で、他方の接続端子の開口に対してボルトを出し入れすることで、接続端子の接続、切り離しを可能にする、というものである。
【先行技術文献】
【特許文献】
【０００４】
【特許文献１】特開２００２−１０１５１８号公報
【発明の概要】
【発明が解決しようとする課題】
【０００５】
ところで、上記特許文献１に記載の導電接続装置では、他方の接続端子に対して、ボルトを切欠き状の開口から（一方向から）出し入れするため、例えば、４つのボルトを縦横に配設する場合には、適用することができない。また、他方の接続端子には切欠き状の開口が形成されているため、一方の接続端子との接触面積およびボルト、ナットによる締結面積が小さく、接続強度が低くなるという問題がある。さらに、ボルト、ナットが緩んだ場合、開口からボルトが抜けてしまうおそれがある。
【０００６】
そこでこの発明は、ボルト、ナットを外すことなく接続、切り離しが可能で、しかも、接続が良好、堅固な端子接続装置を提供することを目的とする。
【課題を解決するための手段】
【０００７】
上記目的を達成するために請求項１に記載の発明は、第１の接続端子と、第２の接続端子と、ボルトと、前記ボルトに螺合するナットと、を備えた端子接続装置であって、前記ナットのネジ孔周縁に、前記ボルト側に突出する突起部が設けられ、前記第１の接続端子に、前記ボルトが挿入される第１の貫通孔が形成され、前記第２の接続端子に、大孔部と小孔部と前記大孔部と小孔部とを結ぶ連結部とを有する第２の貫通孔が形成され、前記第２の貫通孔の大孔部は、前記ナットが挿入可能な大きさに設定され、前記連結部は、前記ボルトが挿入可能で前記ナットの突起部が挿入不可能な大きさに設定され、前記小孔部は、前記ナットの突起部が挿入可能で前記ナットが挿入不可能な大きさに設定されている、ことを特徴とする。
【０００８】
この発明によれば、第１の接続端子の第１の貫通孔にボルトを挿入し、このボルトにナットを取り付ける。この状態で、第２の接続端子の第２の貫通孔の大孔部にナットを挿入し、ボルトを連結部に挿入した状態で、ボルト、ナットを小孔部まで位置させる。そして、ナットを締め付けると、ナットの突起部が小孔部に挿入し、ボルト、ナットによって第１の接続端子と第２の接続端子とが締結（接続）される。この締結状態では、ナットの突起部が第２の貫通孔の小孔部に挿入され、しかも連結部にはナットの突起部が挿入不可能なため、第２の接続端子がナットに対して移動する（ずれる）ことがない。
【０００９】
一方、締結を解除するには、ナットを緩めて突起部を小孔部から外し、ボルトを連結部に挿入した状態で、ボルト、ナットを大孔部まで位置させる。そして、大孔部にナットを通すことで、第２の接続端子が第１の接続端子から切り離される。
【００１０】
請求項２に記載の発明は、請求項１に記載の端子接続装置において、前記第１の接続端子の前記第２の接続端子側に嵌合部が設けられ、前記第２の接続端子の前記第１の接続端子側には被嵌合部が設けられ、前記第１の接続端子と第２の接続端子とを重ね合わせた際に、前記嵌合部と被嵌合部とが嵌合するように、前記嵌合部と被嵌合部とが設けられている、ことを特徴とする。
【００１１】
この発明によれば、第１の接続端子と第２の接続端子とを重ね合わせて、ボルト、ナットによって締結すると、第１の接続端子の嵌合部と第２の接続端子の被嵌合部とが嵌合する。
【発明の効果】
【００１２】
請求項１に記載の発明によれば、第１の接続端子と第２の接続端子とを締結した状態では、第２の接続端子がボルト、ナットに対して、つまり第１の接続端子に対してずれることがない。また、第１の貫通孔および第２の貫通孔が切欠き状ではないため、接触面積および締結面積が大きく、また、ボルト、ナットが緩んだとしても、ボルトが抜けてしまうことがない。これらの結果、両接続端子の接続が良好、堅固となる。また、締結を解除する場合でも、ボルト、ナットを第１の接続端子から外す必要がない。さらに、第１の貫通孔および第２の貫通孔に対して、ボルト、ナットを挿入するため（一方向から出し入れするものではないため）、４つのボルトを縦横に配設する場合などにも適用することができる。
【００１３】
請求項２に記載の発明によれば、第１の接続端子と第２の接続端子とを締結した際に、嵌合部と被嵌合部とが嵌合するため、第１の接続端子と第２の接続端子とがずれることがなく、両接続端子の接続がより良好、堅固となる。
【図面の簡単な説明】
【００１４】
【図１】この発明の実施の形態に係る端子接続装置を示す斜視図である。
【図２】図１の端子接続装置のナットを示す斜視図である。
【図３】図１の端子接続装置において、ナットを大孔部に挿入した状態を示す正面図（ａ）と平面図（ｂ）である。
【図４】図１の端子接続装置において、ボルトを連結部に挿入した状態を示す正面図（ａ）と平面図（ｂ）である。
【図５】図１の端子接続装置において、ナットの突起部を小孔部に挿入した状態を示す正面図（ａ）と平面図（ｂ）である。
【図６】図１の端子接続装置の嵌合部と被嵌合部とを示す斜視図である。
【図７】図１の端子接続装置の別の嵌合部と被嵌合部とを示す正面図（ａ）と平面図（ｂ）と側面図（ｃ）である。
【発明を実施するための形態】
【００１５】
以下、この発明を図示の実施の形態に基づいて説明する。
【００１６】
図１は、この発明の実施の形態に係る端子接続装置１を示す斜視図である。この端子接続装置１は、電力線などを接続するための装置であり、主として、１対の第１の接続端子２と第２の接続端子３と、４対のボルト４とナット５、を備えている。また、ナット５は、ボルト４に螺合し、図２に示すように、ネジ孔５ａの周縁には、ボルト側（後述する第２の接続端子３側）に突出する円環状の突起部５ｂが形成されている。この突起部５ｂの外径は、後述するズレを防止できるだけの強度があり、かつ、ナット５の締結面積（接触面積）ができるだけ大きくなるように、設定されている。
【００１７】
第１の接続端子２と第２の接続端子３は、ともに同形状の平板状で、電力線（図示せず）を挿入して圧着する圧着部２ａ、３ａが形成されている。また、第１の接続端子２には、ボルト４のネジ部（軸部）を挿入する第１の貫通孔２ｂが、縦横に（四方に）４つ形成されている。この第１の貫通孔２ｂは、円形で、その径がボルト４のネジ部よりもやや大きく設定されている。
【００１８】
第２の接続端子３には第２の貫通孔３１が、縦横に４つ形成されている。この第２の貫通孔３１は、図３〜図５に示すような略ひょうたん形で、大孔部３１ａと小孔部３１ｂと大孔部３１ａと小孔部３１ｂとを結ぶ連結部３１ｃとを有し、それぞれの形状と大きさは、次のように設定されている。すなわち、大孔部３１ａは略円形で、図３に示すように、ナット５を挿入できる大きさに設定されている。小孔部３１ｂも略円形で、図５に示すように、ナット５の突起部５ｂのみを挿入でき、ナット５全体は挿入できないように、大きさが設定されている。また、連結部３１ｃは、一定の幅を持った直線状で、図４に示すように、ボルト４のネジ部４ａを挿入でき、ナット５の突起部５ｂを挿入できないように、大きさ（幅）が設定されている。そして、第１の接続端子２と第２の接続端子３とを重ね合わせた際に、すべての小孔部３１ｂの中心が第１の貫通孔２ｂの中心と一致するように、４つの第２の接続端子３が形成されている。
【００１９】
また、図６に示すように、第１の接続端子２の第２の接続端子３側の面の両端には、凹部（嵌合部）２１が形成されている。この凹部２１は、略逆三角形で、第１の接続端子２の板厚方向に窪んで形成されている。一方、第２の接続端子３の第１の接続端子２側の面の両端には、凸部（被嵌合部）３２が形成されている。この凸部３２は、凹部２１と同じ略逆三角形で、第２の接続端子３の板面から突出して形成されている。これらの凹部２１と凸部３２は、第１の接続端子２と第２の接続端子３とを重ね合わせた際に、凹部２１と凸部３２とが嵌合するように、位置と形状が設定されている。
【００２０】
ここで、凹部２１と凸部３２とを略逆三角形にしているのは、嵌合した状態で、第１の接続端子２と第２の接続端子３とが、縦方向（図中Ｘ方向）や横方向（図中Ｙ方向）にずれないようにするためである。従って、略逆三角形に限らず、例えば、図７に示すように、凹部２１と凸部３２とを略三角形に形成してもよい。なお、図６、７においては、凹部２１と凸部３２の形状をわかりやすくするために、第１の貫通孔２ｂおよび第２の貫通孔３１を図示省略している。
【００２１】
次に、このような構成の端子接続装置１の作用および、この端子接続装置１による電力線の接続方法などについて説明する。
【００２２】
電力線同士を接続する場合、まず、一方の電力線の端部を第１の接続端子２の圧着部２ａに挿入して圧着し、他方の電力線の端部を第２の接続端子３の圧着部３ａに挿入して圧着する。次に、ボルト４とナット５を第１の接続端子２に取り付ける（仮止めする）。すなわち、図１に示すように、ボルト４を第１の貫通孔２ｂに挿入し、ボルト４のネジ部４ａにナット５を螺合させ、ネジ部４ａの先端部にナット５を位置させる。
【００２３】
続いて、図３に示すように、第２の接続端子３の第２の貫通孔３１の大孔部３１ａにナット５を挿入し、図４に示すように、ボルト４のネジ部４ａを連結部３１ｃに位置させながら、ボルト４、ナット５を小孔部３１ｂまで位置（移動）させる。この位置で第１の接続端子２と第２の接続端子３とを重ね合わせて、ナット５を締め付けると、図５に示すように、ナット５の突起部５ｂが小孔部３１ｂに挿入される。このような締め付けをすべてのボルト４、ナット５に対して行うことで、第１の接続端子２と第２の接続端子３とが締結（接続）される。ここで、４対のボルト４、ナット５を所定置に位置させる場合に、平板などで４つのボルト４の頭部に持ち上げ、図１に示すように、ネジ部４ａを第１の接続端子２から突出させると、作業がしやすい。
【００２４】
上記の締結状態では、ナット５の突起部５ｂが第２の貫通孔３１の小孔部３１ｂに挿入され、しかも連結部３１ｃ側には突起部５ｂが通らないため、外力が加わったとしても、第２の接続端子３が第１の接続端子２（ナット５）に対してずれることがない。さらに、この締結状態では、第１の接続端子２の凹部２１と第２の接続端子３の凸部３２とが嵌合し、第１の接続端子２と第２の接続端子３とのズレが、より抑制、防止される。
【００２５】
一方、電力線同士の接続を解除するには、ナット５を緩めて突起部５ｂを小孔部３１ｂから外し、ボルト４のネジ部４ａを連結部３１ｃに位置させながら、ボルト４、ナット５を大孔部３１ａまで位置（移動）させる。そして、大孔部３１ａにナット５を通してナット５を第２の貫通孔３１から外すことで、第１の接続端子２と第２の接続端子３とが切り離される。この切り離し状態では、ボルト４とナット５とが、第１の接続端子２に取り付けられたままの状態となっている。
【００２６】
以上のように、この端子接続装置１および接続方法によれば、締結および切り離しの際に、ボルト４、ナット５を第１の接続端子２から外す必要がないため、作業性が良好であるとともに、ボルト４、ナット５を落下させることもない。また、第１の接続端子２と第２の接続端子３とを締結した状態では、ナット５の突起部５ｂが小孔部３１ｂに挿入、固定され、しかも、凹部２１と凸部３２とが嵌合しているため、第１の接続端子２と第２の接続端子３とがずれることがない。しかも、第１の貫通孔２ｂおよび第２の貫通孔３１が切欠き状ではないため、接触面積および締結面積が大きく、また、ボルト４、ナット５が緩んだとしても、ボルト５が抜けてしまうことがない。これらの結果、両接続端子２、３の締結が良好、堅固となる。また、第１の貫通孔２ｂおよび第２の貫通孔３１に対して、ボルト４、ナット５を挿入するため（一方向から出し入れするものではないため）、上記のように４対のボルト４、ナット５を縦横に配設することができ、締結強度を高めることが可能となる。
【００２７】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、第２の貫通孔３１を略ひょうたん形としているが、大孔部３１ａ、小孔部３１ｂおよび連結部３１ｃの大きさが、上記のような関係になっていれば、その他の形状であってもよい。
【産業上の利用可能性】
【００２８】
この発明は、電力線同士の接続に限らず、各種ワイヤの接続などにも利用可能である。
【符号の説明】
【００２９】
１      端子接続装置
２      第１の接続端子
２ｂ    第１の貫通孔
２１    凹部（嵌合部）
３      第２の接続端子
３１    第２の貫通孔
３１ａ  大孔部
３１ｂ  小孔部
３１ｃ  連結部
３２    凸部（被嵌合部）
４      ボルト
５      ナット
５ｂ    突起部
【図１】
2010287354.tif 000003
【図２】
2010287354.tif 000004
【図３】
2010287354.tif 000005
【図４】
2010287354.tif 000006
【図５】
2010287354.tif 000007
【図６】
2010287354.tif 000008
【図７】
2010287354.tif 000009